(57)【要約】      （修正有） 【課題】行動の忘れ防止と自他共通の伝達と当日必要物品の保管を可能にする更新可能カレンダー機能付き収納家具を提供する。【解決手段】引き出しを脱着自在に装置出来る区画部を複数備えている家具本体と、家具本体の任意の区画部に脱着自在に装着出来る複数の引き出しとを備えている。引き出しはその前面に日付け表示された日付け表示板を備え、日付け表示板は、抜き文字加工により表示されている日付け文字を備える。引き出しは日付け表示板の裏に形成された、スリット部を備えており、スリット部に抜き差し可能に装着され、抜き文字加工越しに視認される色板を備えている。【選択図】図１０
0003157764.tif 000002
【実用新案登録請求の範囲】
【請求項１】
本考案は引き出しを脱着自在に装置出来る区画部を複数備えている家具本体と当該家具本体の任意の区画部に脱着自在に装着出来る複数の引き出しとを備えているカレンダー機能付き収納家具であって、前述の引き出しはその前面に日付け表示された日付け表示板を備えている事を特徴とする更新可能カレンダー機能付き収納家具である。
【請求項２】
本考案は前記引き出しの日付け表示板は、抜き文字加工により表示されている日付け文字を備えるものであり、前記引き出しは前記日付け表示板の裏に形成された、スリット部を備えており、更に当該カレンダー機能付き収納家具は前記スリット部に抜き差し可能に装着された状態で前記抜き文字加工越しに視認される色板を備えている更新可能カレンダー機能付き収納家具である。
【考案の詳細な説明】
【技術分野】
【０００１】
本考案は、脱着式更新可能カレンダー機能及び月と日を色識別により表示した収納式家具に関するものである。
【背景技術】
【０００２】
従来のカレンダーは該当月を表示し自己の行動又は計画案件を直に記載し、必要な物品は他に保管していた。
【先行技術文献】
【特許文献】
【０００３】
【特許文献１】特開２００６−２７１７１８号  公報
【考案の概要】
【考案が解決しようとする課題】
【０００４】
別保管は物品の紛失や的確な行動の励行及び他者への伝言及び伝達が不備であり、又その約束日の確認が充分ではない。従って、各月毎の更新可能カレンダー機能と収納保管機能を一体化する事により、実物品又は伝言用紙を当該日の収納箱に入れて置く事により前述の問題を解決しようとするものである。
【課題を解決するための手段】
【０００５】
本考案は、各月の表示及びその曜日又は日にちを内部小分け小箱として可動可能な収納箱にし、それぞれの月に合わせ脱着によりカレンダーを作り、その計画日の箱に貴重品及び伝言を保管する家具であり、且つ、月や日や曜日を色板脱着識別にてより判りやすくする事により年齢による利用障害を解決している。
【考案の効果】
【０００６】
上記の様に、本考案の更新可能カレンダー機能付き収納家具は月の行動計画は勿論、重要日の忘れ防止及びその日の必要物品や貴重品の準備保管に寄る携帯忘れの防止又は他者への伝言を入れる事に寄り不伝達の防止及び忘れ防止の為に行動メモ入れる事に寄る約束忘れの防止及び日々の薬等の服用忘れ防止として役立つ。
【図面の簡単な説明】
【０００７】
【図１】本考案の更新可能カレンダー機能付き収納家具の全体写真。
【図２】本考案の更新可能カレンダー機能付き収納家具の引き出し部装着無し骨格全体写真。
【図３】月表示部分月抜き文字板挿入の写真。
【図４】下部収納箱の写真。
【図５】各抜き文字加工付き日付け収納箱の写真。
【図６】日付け引き出しの内部構造と仕切り板の写真。
【図７】色板の写真。
【図８】抜き文字加工付き月表示板と後ろ色板との挿入写真。
【図９】抜き文字加工した各月表示板の写真。
【図１０】本家具の構成と利用方法を記した図面である。
【図１１】本家具の断面図である。
【図１２】上部より落とし入れ方式の抜き文字加工月表示板と色板の挿入方法の図面と収納箱の断面図である。
【図１３】上部より脱着式抜き文字加工付き日にち表示板と色板と収納箱の丸型のつまみと内部自在分離板を備えた収納箱の平面図と断面図である。
【考案を実施するための形態】
【０００８】
本考案は引き出しを脱着自在に装着出来る区画部を複数備えている
家具本体と当該家具本体の任意の区画部に脱着自在に装着出来る複数の引き出しとを備えているカレンダー機能付き収納家具であって、前述の引き出しはその前面に日付け表示された日付け表示板を備えている事を特徴とする更新可能カレンダー機能付き収納家具である。
【０００９】
又、本考案は前記引き出しの日付け表示板は、抜き文字加工により表
されている日付け文字を備えるものであり、前記引き出しは前記日付け表示板の裏
に形成された、スリット部を備えており、更に当該カレンダー機能付き収納家具は
前記スリット部に抜き差し可能に装着された状態で前記抜き文字加工部分越しに視認
される色板を備えている物であっても良い。
【００１０】
月が変わる月末に、添付のその月の抜き文字表示板とその月の日にちに対し各日にちの収納箱を抜き取り、更に挿入設置し当月のカレンダー通りにする。次は色板をそれぞれ祝日と日曜日は赤色板・土曜日は青色板・平日は黒色板・重要日は黄色板を上から挿入する。抜き文字に対し前面から色板が見える事により、より良く日にちと重要日と行動計画が判別し易くなる。又それぞれの収納箱は２枚の隔離板により自由に位置を変えて物品の保管が可能となる。
【実施例】
【００１１】
以下、添付写真及び図面に従って一実用例を説明する。図１は収納箱が挿入設置された本考案家具全体の状況。  図２は各収納箱が設置されていない骨格の状況。  図３は月表示部分月抜き文字板挿入の状況。  図４は下部収納箱の状況。  図５は各抜き文字加工付き日付け収納箱の状況。  図６は日付け引き出しの内部構造と仕切り板の状況。図７は色板の状況。図８は抜き文字加工付き月表示板と後ろ色板との挿入状況図９は抜き文字加工した各月表示板の状況。図１０は完成本体の正面図面。図１１は完成本体の断面図面  図１２は月表示の断面の図面であり、抜き文字２と色板１０の設置状況を表し上部から抜き差し可能な構造の為、年齢に関わらず簡単な表示交換が出来る。図１３は各日の収納箱の平面図と断面図であり、それぞれの自在仕切り板８により自由な奥行き寸法を確保出来る。
【００１２】
本考案の一実例写真及び図面は上述の如き構成からなるものであるから、毎月のカレンダーとしての機能は勿論であるが、計画行動に於いての準備物品及び伝達の為の
又は確認の為の記述用紙の準備保管が出来、色による忘れ防止と加年齢に於ける忘れ防止補助が可能であり、リハビリの機能も兼ね備えている。
【符号の説明】
【００１３】
１    更新可能カレンダー機能付収納家具本体
２    月表示上部より脱着式抜き文字板
３    曜日と１日から３１日抜き文字加工内部分離自在板付収納箱（引き出し）
４    曜日と１日から３１日抜き文字加工収納箱の丸型の引き出しつまみ
５    下部大きいサイズ収納箱
６    上部と下部大きいサイズ収納箱の長手取手
７    上部月抜き文字表示加工収納箱
８    曜日と１日から３１日抜き文字加工収納箱内自在分離板
９    １日から３１日抜き文字加工収納箱と内部自在分離板２枚付きの収納箱断面図
１０  抜き文字表示用上部より落し入れ方式色板
【図１】
0003157764.tif 000003
【図２】
0003157764.tif 000004
【図３】
0003157764.tif 000005
【図４】
0003157764.tif 000006
【図５】
0003157764.tif 000007
【図６】
0003157764.tif 000008
【図７】
0003157764.tif 000009
【図８】
0003157764.tif 000010
【図９】
0003157764.tif 000011
【図１０】
0003157764.tif 000012
【図１１】
0003157764.tif 000013
【図１２】
0003157764.tif 000014
【図１３】
0003157764.tif 000015
【手続補正書】
【提出日】平成21年12月3日(2009.12.3)
【手続補正１】
【補正対象書類名】実用新案登録請求の範囲
【補正対象項目名】全文
【補正方法】変更
【補正の内容】
【実用新案登録請求の範囲】
【請求項１】
引き出しを脱着自在に装置出来る区画部を複数備えている家具本体と当該家具本体の任意の区画部に脱着自在に装着出来る複数の引き出しとを備えているカレンダー機能付き収納家具であって、前述の引き出しはその前面に日付け表示された日付け表示板を備えている事を特徴とする更新可能カレンダー機能付き収納家具。
【請求項２】
前記引き出しの日付け表示板は、抜き文字加工により表示されている日付け文字を備えるものであり、前記引き出しは前記日付け表示板の裏に形成された、スリット部を備えており、更に当該カレンダー機能付き収納家具は前記スリット部に抜き差し可能に装着された状態で前記抜き文字加工越しに視認される色板を備えている請求項１に記載の更新可能カレンダー機能付き収納家具。